(57)【要約】【課題】  印刷媒体への印刷を作成者に負担を掛けること無く、快適に作成することができるキーボードを装着した印刷装置を提供する。【解決手段】  印刷装置１では、入力手段としてデータを入力するキーボード３と、機能を入力する複数の機能キー７とを備え、複数の機能キー７は、印刷された印刷媒体２３を作成する一連の操作の手順に従って配置されている。【選択図】  図１
2007320034.tif 000002
【特許請求の範囲】
【請求項１】
データや機能を入力する入力手段と、入力手段から入力されたデータを印刷媒体に印刷する印刷手段を備えた印刷装置において、
前記入力手段は、データを入力する複数のデータキーと、機能を働かせる複数の機能キーを備え、
前記各機能キーは、印刷する一連の操作の手順に従って配置されていることを特徴とする印刷装置。
【請求項２】
前記各機能キーのうち最後に配置されたキーが印刷媒体を切断するカットキーであることを特徴とする請求項１に記載の印刷装置。
【請求項３】
前記カットキーの手前に配置されたキーが前記印刷手段を起動させる印刷指示キーであることを特徴とする請求項２に記載の印刷装置。
【請求項４】
前記各機能キーのうち最後に配置されたキーが前記印刷手段を起動させる印刷指示キーであることを特徴とする請求項１に記載の印刷装置。
【請求項５】
データや機能を入力する入力手段と、入力手段から入力されたデータを表示する表示手段と、入力手段から入力されたデータを印刷媒体に印刷する印刷手段を備えた印刷装置において、
前記入力手段は、データを入力する複数のデータキーと、機能を働かせる複数の機能キーを備え、
前記機能キーは、印刷する一連の操作の手順に従って配置されていることを特徴とする印刷装置。
【請求項６】
前記各機能キーのうち最後に配置されたキーが印刷媒体を切断するカットキーであることを特徴とする請求項５に記載の印刷装置。
【請求項７】
前記カットキーの手前に配置されたキーが前記印刷手段を起動させる印刷指示キーであることを特徴とする請求項６に記載の印刷装置。
【請求項８】
前記各機能キーのうち最後に配置されたキーが前記印刷手段を起動させる印刷指示キーであることを特徴とする請求項５に記載の印刷装置。
【請求項９】
前記印刷指示キーの手前に配置されたキーが、前記入力されたデータの印刷内容を前記表示手段に表示させるプレビューキーであることを特徴とする請求項７又は請求項８に記載の印刷装置。
【請求項１０】
前記各機能キーが操作された時、その各機能キーのガイダンスが前記表示手段に表示されるように構成したことを特徴とする請求項５乃至請求項９のいずれかに記載の印刷装置。
【請求項１１】
前記印刷手段によって印刷された印刷媒体の出口が、前記各機能キーのうち最後に配置された機能キーの近傍に設けられていることを特徴とする請求項１乃至請求項１０のいずれかに記載の印刷装置。
【請求項１２】
前記各機能キーのうち最初に配置されたキーが前記印刷装置を起動する電源キーであることを特徴とする請求項１乃至請求項１１のいずれかに記載の印刷装置。
【請求項１３】
前記複数の機能キーの近傍に操作の方向を示すマーキングが記載されていることを特徴とする請求項1乃至請求項１２のいずれかに記載の印刷装置。
【請求項１４】
前記各複数の機能キーには、照光装置が備えられ、前記各機能キーが操作される順番に消灯又は点灯されるように構成したことを特徴とする請求項1乃至請求項１３のいずれかに記載の印刷装置。
【発明の詳細な説明】
【技術分野】
【０００１】
本発明は、データキーと機能キーを使用して入力された種々のデータを印刷媒体に印刷する印刷装置に関し、特に機能キーの配置に関するものである。
【背景技術】
【０００２】
従来、印刷媒体へ印刷する印刷装置に種々のデータや機能を入力する為の入力手段として、データキーと機能キーを持つ、所謂、キーボードが使われてきた。そして、現在でもキーボードのデータキーと機能キーの配列は、基本的にJIS X ６００２−１９８０、ISO−２５３０−１９７５で決められたキー配列が使用されている。しかしながら、このキー配列は、誰もが共通にデータキーでデータを効率良く入力できるという意味においては優れているが、機能キーにおいては、特定のキーを除いて配列が曖昧であるという問題がある。
【０００３】
更に、キーボードは、ワードプロセッサ、ワークステーション、および、パソコン（パーソナルコンピュータ）の普及に伴い、国民全員が日常的に使用するマンマシンインターフェイスとして極めて重要なものとなってきた。このような状況の中で、キーボードのデータキーと機能キーの操作の効率をよくする為に、どのように配置したらよいか様々な提案がされている。
【０００４】
例えば、特開平１０−１４３３０２号公報には、二つの文字・数字キー郡が一定の間隔を設けて左右に分割され、左右対象にそれぞれ４段５列の碁盤目状に配置され、また、固定機能・記号キー郡は、文字・数字キー郡と文字・数字キー郡との中間にそれらに隣接して配置され、更に、二つの固定機能キー郡が、左右の両端部に配置されたキーボードが開示されている。
【０００５】
【特許文献１】特開平１０−１４３３０２号公報
【発明の開示】
【発明が解決しようとする課題】
【０００６】
上述した公報のキーボードにおいては、データキーはデータキー、機能キーは機能キーでまとまっているので打鍵速度を向上するのには適しているが、機能キー同志の有機的な繋がりを配慮して配置していないので、複数の機能キーで一連の操作をする場合、操作がバラバラになり、操作の流れが一目で分からないという問題がある。また、操作がバラバラであると、操作が覚えにくく習熟に時間が掛かるという問題と、一旦中断してその後に操作すると思い出すのに時間が掛かるという問題もある。
【０００７】
そして、上述した従来の構成を用いたキーボードを印刷媒体に印刷する印刷装置用のキーボードに使用して複数の機能キーで一連の操作をする場合、機能キー同志の有機的な繋がりがないために機能キーの操作かバラバラになるという問題があり、従来の構成を用いたキーボードでは、複数の機能キーで一連の操作を要する印刷を行う印刷装置用のキーボードには向かないという問題がある。
【０００８】
以上のような状況に鑑み、本発明の目的は、印刷媒体への印刷を操作者に負担を掛けること無く、快適に操作することができるキーボードを装着した印刷装置を提供することを目的とする。
【課題を解決するための手段】
【０００９】
前記目的を達成するために請求項１に係る印刷装置は、データや機能を入力する入力手段と、入力手段から入力されたデータを印刷媒体に印刷する印刷手段を備えた印刷装置において、前記入力手段は、データを入力する複数のデータキーと、機能を働かせる複数の機能キーを備え、前記各機能キーは、印刷する一連の操作の手順に従って配置されていることを特徴とする。
【００１０】
また、請求項２に係る印刷装置は、請求項１に記載の印刷装置において、前記各機能キーのうち最後に配置されたキーが印刷媒体を切断するカットキーであることを特徴とする。
【００１１】
また、請求項３に係る印刷装置は、請求項２に記載の印刷装置において、前記カットキーの手前に配置されたキーが前記印刷手段を起動させる印刷指示キーであることを特徴とする。
【００１２】
また、請求項４に係る印刷装置は、請求項１に記載の印刷装置において、前記各機能キーのうち最後に配置されたキーが前記印刷手段を起動させる印刷指示キーであることを特徴とする。
【００１３】
次に、請求項５に係る印刷装置は、データや機能を入力する入力手段と、入力手段から入力されたデータを表示する表示手段と、入力手段から入力されたデータを印刷媒体に印刷する印刷手段を備えた印刷装置において、前記入力手段は、データを入力する複数のデータキーと、機能を働かせる複数の機能キーを備え、前記機能キーは、印刷する一連の操作の手順に従って配置されていることを特徴とする。
【００１４】
また、請求項６に係る印刷装置は、請求項５に記載の印刷装置において、前記各機能キーのうち最後に配置されたキーが印刷媒体を切断するカットキーであることを特徴とする。
【００１５】
また、請求項７に係る印刷装置は、請求項６に記載の印刷装置において、前記カットキーの手前に配置されたキーが前記印刷手段を起動させる印刷指示キーであることを特徴とする。
【００１６】
また、請求項８に係る印刷装置は、請求項５に記載の印刷装置において、前記各機能キーのうち最後に配置されたキーが前記印刷手段を起動させる印刷指示キーであることを特徴とする。
【００１７】
また、請求項９に係る印刷装置は、請求項７又は請求項８に記載の印刷装置において、前記印刷指示キーの手前に配置されたキーが、前記入力されたデータの印刷内容を前記表示手段に表示させるプレビューキーであることを特徴とする。
【００１８】
また、請求項１０に係る印刷装置は、請求項５乃至請求項９のいずれかに記載の印刷装置において、前記各機能キーが操作された時、その各機能キーのガイダンスが前記表示手段に表示されるように構成したことを特徴とする。
【００１９】
また、請求項１１に係る印刷装置は、請求項１乃至請求項１０のいずれかに記載の印刷装置において、前記印刷手段によって印刷された印刷媒体の出口が、前記各機能キーのうち最後に配置された機能キーの近傍に設けられていることを特徴とする。
【００２０】
また、請求項１２に係る印刷装置は、請求項１乃至請求項１１のいずれかに記載の印刷装置において、前記各機能キーのうち最初に配置されたキーが前記印刷装置を起動する電源キーであることを特徴とする。
【００２１】
また、請求項１３に係る印刷装置は、請求項１乃至請求項１２のいずれかに記載の印刷装置において、前記複数の機能キーの近傍に操作の方向を示すマーキングが記載されていることを特徴とする。
【００２２】
そして、請求項１４に係る印刷装置は、請求項１乃至請求項１３のいずれかに記載の印刷装置において、前記各複数の機能キーには、照光装置が備えられ、前記各機能キーが操作される順番に消灯又は点灯されるように構成したことを特徴とする。
【発明の効果】
【００２３】
請求項１に係る印刷装置では、入力手段は、データを入力する複数のデータキーと、機能を働かせる複数の機能キーを備え、各機能キーは、印刷する一連の操作の手順に従って配置されているので、操作がバラバラにならず操作性が向上するという効果がある。また、機能キーの操作の一連の流れが一目で分かり、操作の手順が明確になるという効果もある。
【００２４】
また、請求項２に係る印刷装置では、各機能キーのうち最後に配置されたキーが印刷媒体を切断するカットキーであるので、最後の動作であるカット動作がおのずと分かり処理が終わったことが理解されやすいという効果がある。
【００２５】
また、請求項３に係る印刷装置では、カットキーの手前に配置されたキーが印刷手段を起動させる印刷指示キーであるので、印刷後にカットという一連の流れと同様にキーを配置しているので、一連の操作が理解しやすいという効果がある。また、次のキーまで最短距離でキー押下できるので、操作性が向上するという効果がある。
【００２６】
また、請求項４に係る印刷装置では、各機能キーのうち最後に配置されたキーが印刷手段を起動させる印刷指示キーであるので、最後の動作である印刷動作がおのずと分かり処理が終わったことが理解されやすいという効果がある。
【００２７】
次に、請求項５に係る印刷装置では、入力手段は、データを入力する複数のデータキーと、機能を働かせる複数の機能キーを備え、機能キーは、印刷する一連の操作の手順に従って配置されているので、操作がバラバラにならず操作性が向上するという効果がある。また、機能キーの操作の一連の流れが一目で分かり、操作の手順が明確になるという効果がある。
【００２８】
また、請求項６に係る印刷装置では、各機能キーのうち最後に配置されたキーが印刷媒体を切断するカットキーであるので、最後の動作であるカット動作がおのずと分かり処理が終わったことが理解されやすいという効果がある。
【００２９】
また、請求項７に係る印刷装置では、カットキーの手前に配置されたキーが印刷手段を起動させる印刷指示キーであるので、印刷後にカットという一連の流れと同様にキーを配置しているので、一連の操作が理解しやすいという効果がある。また、次のキーまで最短距離でキー押下できるので、操作性が向上するという効果がある。
【００３０】
また、請求項８に係る印刷装置では、各機能キーのうち最後に配置されたキーが印刷手段を起動させる印刷指示キーであるので、最後の動作である印刷動作がおのずと分かり処理が終わったことが理解されやすいという効果がある。
【００３１】
また、請求項９に係る印刷装置では、印刷指示キーの手前に配置されたキーが、入力されたデータの印刷内容を表示手段に表示させるプレビューキーであるので、プレビューの次に印刷という一連の流れと同様にキーを配置しているので、一連の操作が理解しやすいという効果がある。また、次のキーまで最短距離でキー押下できるので、操作性が向上するという効果がある。
【００３２】
また、請求項１０に係る印刷装置では、各機能キーが操作された時、その各機能キーのガイダンスが表示手段に表示されるように構成したので、機能キーの内容が把握でき、初心者が使用する時や、一旦、使用を中止してその後に操作しても迷わずに使用できるという効果がある。また、表示手段の表示によって、次の操作が指示されるので操作性が向上するという効果もある。
【００３３】
また、請求項１１に係る印刷装置では、印刷手段によって印刷された印刷媒体の出口が、各機能キーのうち最後に配置された機能キーの近傍に設けられているので、印刷された印刷媒体が最後に配置された機能キーの近傍から排出され、印刷された印刷媒体の出口が分かりやすく、一連の操作の流れが理解されやすいという効果がある。
【００３４】
また、請求項１２に係る印刷装置では、各機能キーのうち最初に配置されたキーが印刷装置を起動する電源キーであるので、一連の操作の流れの基点となる電源の入力から容易に入ることができ、一連の操作の流れが理解されやすいという効果がある。
【００３５】
また、請求項１３に係る印刷装置では、複数の機能キーの近傍に操作の方向を示すマーキングが記載されているので、操作順序の方向が一目でわかるという効果がある。
【００３６】
そして、請求項１４に係る印刷装置では、各複数の機能キーには、照光装置が備えられ、各機能キーが操作される順番に消灯又は点灯されるように構成したので、どの機能キーの処理までが済んだかが分かり、無駄な操作を無くすことが出来るという効果がある。
【発明を実施するための最良の形態】
【００３７】
以下、本発明に係る印刷装置について、本発明を具体化した第１実施形態に基づき図面を参照しつつ詳細に説明する。先ず、本実施形態に係る印刷装置の概略構成について図１乃至図４に基づき説明する。図１は、第１実施形態の印刷装置の斜視図、図２は、第１実施形態の印刷装置の上面図、図３は、第１実施形態の印刷媒体カセットを装着したサーマル印刷機構の概略平面図、図４は、第１実施形態の印刷装置の制御系のブロック図である。
【００３８】
図１、図２において、印刷装置１の本体フレーム２の前部にはキーボード３が配設され、キーボード３の後方で本体フレーム２内にはサーマル印刷機構４が配設され、またキーボード３の直ぐ後側には、入力した文字や記号を表示可能な液晶ディスプレイ５が設けられている。更に、キーボード３の左側には機能キー配置部６が設けられている。
【００３９】
キーボード（入力手段に相当する）３には、アルファベット文字や数字や記号を入力する為の文字キー、スペースキー、改行キー、カーソル移動キー、実行キーや取消キー等の編集キー、印字を指令する印刷キー、電源をＯＮ／ＯＦＦする為の電源キーが設けられている。これらは、氏名やファイルの背表紙の一般的な内容で印刷された印刷媒体２３を作成する時や、機能キー配置部６の機能キー７を操作している時に必要に応じてアルファベット文字や数字や記号を入力するために使用される。
【００４０】
また、機能キー配置部６には、複数の機能キー７（ａ〜ｈ）が一つの印刷された印刷媒体２３を作成する為に、一連の操作をバラバラにすることなく一つの流れでできるように配置されている。その為に、キーボード３に存在するのと同一の機能を持つキーが含まれる場合もある。（例えば印刷キー、カットキー、電源キー）更に、複数の機能キー７（ａ〜ｈ）の近傍には、操作手順を分かり易くする為に操作順序を示す矢印状のマーキング８が印刷や刻印で表示されている。また、複数の機能キー７（ｂ〜ｈ）には、操作を重複して行ったり、操作を飛ばしたりする無駄な操作を無くす為に、操作の段階を示す照光用ＬＥＤ３３（ａ〜ｇ）が取り付けられている。そして、サーマル印刷機構４によって印刷された印刷媒体２３が排出方向Ｔの方向に排出される印刷媒体出口９が、一連の機能キー配置部６の最後の機能キー７ｈの近傍に設けられているので、自然と目につく分かり易い配置になっている。
ここで、機能キー７ａ〜７ｈは、以下のように機能する。機能キー７ａは、印刷装置１の電源をＯＮする。機能キー７ｂは、住所を選択する。機能キー７ｃは、名前を選択する。機能キー７ｄは、メールアドレスを選択する。機能キー７ｅは、時刻を選択する。機能キー７ｆは、プレビューを表示する。機能キー７ｇは、印刷を指示する。機能キー７ｈは、印刷媒体２３を切断する。
【００４１】
次に、サーマル印刷機構４（印刷手段に相当する）について、図３に基づいて簡単に説明する。このサーマル印刷機構４には、着脱自在に矩形状の印刷媒体カセット１０が装着されており、この印刷媒体カセット１０には、印刷媒体であるラミネートテープ１１が巻装されたテープスプール１２とインクリボン１３が巻装されたリボンスプール１４と、このインクリボン１３を巻取るリボン巻取りスプール１５と、ラミネートテープ１１と同一幅を有する両面テープ１６が剥離紙を外側にして巻装された供給スプール１７と、ラミネートテープ１１と両面テープ１６とを押圧して接合させる接合ローラ１８とが回転自在に設けられている。
【００４２】
前記ラミネートテープ１１とインクリボン１３とが重なる位置には、サーマルヘッド１９が立設され、これらラミネートテープ１１とインクリボン１３とをサーマルヘッド１９に押圧するプラテンローラ２０と、ラミネートテープ１１と両面テープ１６とを接合ローラ１８に押圧して印刷された印刷媒体２３を作成しながらテープ送りする送りローラ２１とは、本体フレーム２に回動自在に枢着されたローラ支持体２２に回転可能に枢支されている。このサーマルヘッド１９には、複数の発熱素子が上下方向に列設されている。
【００４３】
従って、テープ送りモータ３６（図４参照）の所定回転方向への駆動により、接合ローラ１８とリボン巻取りスプール１５とが所定回転方向に各々同期して駆動されながら、サーマルヘッド１９の複数の発熱素子に通電された時、ラミネートテープ１１の裏面側には、複数のドット列により文字や記号が鏡像で印刷され、しかもラミネートテープ１１の裏面側に両面テープ１６が接合されて印刷された印刷媒体２３が作成され、印刷された印刷媒体２３が排出方向Ｔの方向に搬送されて、図１乃至図３に示すように、本体フレーム２の外側に排出される。
【００４４】
なお、この印刷媒体カセット１０は、そのテープ幅やテープ種類によって複数の印刷媒体カセット１０が用意されている。この印刷媒体カセット１０の底壁部には、複数のテープ種検出用穴２４が形成され、このテープ種検出用穴２４の組合せによってテープ幅やテープ種類が決まり、この情報が本体フレーム２に取り付けられているカセットセンサ３０（図４参照）で読み取られる。
【００４５】
次に、印刷装置１の制御系について、図４に基づいて説明する。制御装置４６の入出力インターフェース４４には、キーボード３と、カセットセンサ３０と、液晶ディスプレイ（ＬＣＤ）５（表示手段に相当する）に表示データを出力する為のビデオＲＡＭ３１を有するディスプレイコントローラ（ＬＣＤＣ）３２と、照光用ＬＥＤ３３の為の駆動回路３４と、サーマルヘッド１９を駆動する為の駆動回路３５と、テープ送りモータ３６を駆動する為の駆動回路３７とが、各々接続されている。
【００４６】
制御装置４６は、ＣＰＵ４０と、このＣＰＵ４０にデータバスなどのバス４５を介して接続された入出力インターフェース４４、表示用キャラクタジェネレータＲＯＭ（表示用ＣＧＲＯＭ）４１、印刷用キャラクタジェネレータＲＯＭ（印刷用ＣＧＲＯＭ）４２，ＲＯＭ４３及びＲＡＭ５０とから構成されている。表示用ＣＧＲＯＭ４１には、アルファベット文字や記号などの多数のキャラクタの各々に関して、所定文字サイズの表示用ドットパターンデータが格納されている。印刷用ＣＧＲＯＭ４２には、アルファベット文字や記号などの多数のキャラクタの各々に関して、印刷用ドットパターンデータが、各書体毎にコードデータに対応させて、複数の印字文字サイズ分が格納されている。
【００４７】
ＲＯＭ４３には、キーボード３から入力された文字や数字や記号のキャラクタのコードデータに対応させてディスプレイコントローラ３２を制御する表示駆動制御プログラム、印字に供する１ドット列毎のドットパターンデータを順次サーマルヘッド１９に転送してテープ送りモータ３６を駆動させて印刷する印刷駆動プログラム、本願特有の後述の照光用ＬＥＤ制御、機能キーのガイダンスを表示する表示制御プログラムが格納されている。また、前記ＲＡＭ５０には、各機能キー７（ａ〜ｈ）に対応して追加、削減される情報を格納するメモリや、ＣＰＵ４０で演算した演算結果を一時的に格納するメモリやバッファが設けられている。
【００４８】
続いて、前記のように構成された印刷装置１において、図5に示す印刷された印刷媒体２３を作成する為の操作の流れを図６（操作する機能キーは図１、図２を参照）に基づいて説明する。図5は、機能キーを使用して印刷された印刷媒体を示す図である。図6は、第１実施形態の機能キーの操作の流れを説明する図である。
【００４９】
まず、ステップ（以下、Sと略記する）１は、電源をＯＮにする操作である。図１、図２のＰｏｗｅｒキー７ａを押下する。この時、Ｐｏｗｅｒキー７ａを除く全ての機能キーについている照光用ＬＥＤ３３（ａ〜ｇ）が全て点灯する。そして、液晶ディスプレイ５に、
１：
と表示される。
【００５０】
次に、S２は、Ａｄｄｒｅｓｓキーを押して所望の住所を選択する操作である。図１、図２のＡｄｄｒｅｓｓキー７ｂを押下する。この時、Ｐｏｗｅｒキー７ａを除く全ての機能キーについている照光用ＬＥＤ３３（ａ〜ｇ）は全て点灯したままである。液晶ディスプレイ５に、
Ａｄｄｒｅｓｓキーを押して住所を選択してね
とガイダンスが数秒間表示された後で、図６のように、
ＡＤＤＲＥＳＳ１
１−１−１，□□−ｔｙｏｕ
と住所の一部が表示される。液晶ディスプレイ５には、全体が表示できないので、カーソル移動キーで画面をスクロールさせて隠れている内容を見ることができる。また、自動でスクロールさせて全体を見せるようにしても良い。この住所が所望の住所であれば次のステップに進めばよいが、この住所が所望の住所でなければ、もう１度Ａｄｄｒｅｓｓキー７ｂを押下し、所望の住所が出てくるまで操作を繰り返す。それでも所望の住所が無い場合は、キーボード３から所望の住所を入力する。ここでは、「１−１−１，□□−ｔｙｏｕ，◇◇−ｓｈｉ，○○−ｋｅｎ」が所望の住所である。
【００５１】
次に、S３は、Ｎａｍｅキーを押して所望の名前を選択する操作である。図１、図２のＮａｍｅキー７ｃを押下する。この時、Ａｄｄｒｅｓｓキー７ｂについている照光用ＬＥＤ３３ａが消灯する。液晶ディスプレイ５に、
Ｎａｍｅキーを押して名前を選択してね
とガイダンスが数秒間表示された後で、
ＮＡＭＥ１
ＡＢＣＤＥ  Ｉｎｄｕｓｔｒｉｅｓ，ＬＴＤ
と表示される。この名前が所望の名前であれば次のステップに進めばよいが、この名前が所望の名前でなければ、もう１度Ｎａｍｅキー７ｃを押下し、所望の名前が出てくるまで操作を繰り返す。それでも所望の名前が無い場合は、キーボード３から所望の名前を入力する。ここでは、「ＡＢＣＤＥ  Ｉｎｄｕｓｔｒｉｅｓ，ＬＴＤ」が所望の名前である。
【００５２】
次に、S４は、Ｍａｉｌキーを押して所望のメールアドレスを選択する操作である。図１、図２のＭａｉｌキー７ｄを押下する。この時、Ｎａｍｅキー７ｃについている照光用ＬＥＤ３３ｂが消灯する。液晶ディスプレイ５に、
Ｍａｉｌキーを押してメルアドを選択してね
とガイダンスが数秒間表示された後で、
ＭＡＩＬ  ＡＤＤＲＥＳＳ１
ｈｔｔｐ：／／ｗｗｗ．ａｂｃｄｅ．ｃｏｍ
と表示される。このメールアドレスが所望のメールアドレスであれば次のステップに進めばよいが、このメールアドレスが所望のメールアドレスでなければ、もう１度Ｍａｉｌキー７ｄを押下し、所望のメールアドレスが出てくるまで操作を繰り返す。それでも所望のメールアドレスが無い場合は、キーボード３から所望のメールアドレスを入力する。ここでは、「ｈｔｔｐ：／／ｗｗｗ．ａｂｃｄｅ．ｃｏｍ」が所望のメールアドレスである。
【００５３】
次に、S５は、Ｄａｔｅキーを押して所望の時刻を選択する操作である。図１、図２のＤａｔｅキー７ｅを押下する。この時、Ｍａｉｌキー７ｄについている照光用ＬＥＤ３３ｃが消灯する。液晶ディスプレイ５に、
Ｄａｔｅキーを押して時刻を選択してね
とガイダンスが数秒間表示された後で、
ＴＩＭＥ１
ＰＭ  ５：３１
と表示される。この時刻が所望の時刻であれば次のステップに進めばよいが、この時刻が所望の時刻でなければ、もう１度Ｄａｔｅキー７ｅを押下し、所望の時刻が出てくるまで操作を繰り返す。それでも所望の時刻が出ない場合は、キーボード３から所望の時刻を入力する。ここでは、「ＰＭ  ５：３１」が所望の時刻である。
【００５４】
次に、S６は、Ｐｒｅｖｉｅｗキーを押して所望の内容になっているか印刷する前に確認する操作である。図１、図２のＰｒｅｖｉｅｗキー７ｆを押下する。この時、Ｄａｔｅキー７ｅについている照光用ＬＥＤ３３ｄが消灯する。液晶ディスプレイ５に、
Ｐｒｅｖｉｅｗキーを押してプレビューで確認してね
とガイダンスが数秒間表示された後で、
ＰＭ  ５：３１
ｈｔｔｐ：／／ｗｗｗ．ａｂｃｄｅ．ｃｏｍ
ＡＢＣＤＥ  Ｉｎｄｕｓｔｒｉｅｓ，ＬＴＤ
１−１−１，□□−ｔｙｏｕ，◇◇−ｓｈｉ，○○−ｋｅｎ
と図５に示す表示形式で表示される。この内容が所望の内容であれば次のステップに進めばよいが、この内容が所望の内容でなければ、所望の内容でないステップに戻って内容を修正し、Ｐｒｅｖｉｅｗキー７ｆを押下して内容を最終確認してから次のステップに進む。ここでは、上記内容が所望の内容である。
【００５５】
次に、S７は、印刷媒体２３を完成させるためにS６で確認した内容を印刷媒体２３に印刷する操作である。図１、図２のＰｒｉｎｔキー７ｇを押下する。この時、Ｐｒｅｖｉｅｗキー７ｆについている照光用ＬＥＤ３３ｅが消灯する。液晶ディスプレイ５に、
ＰＲＩＮＴＩＮＧ・・・・
と表示され、印刷された印刷媒体２３が、図１、図２に示す排出方向Ｔに向かって排出される。
【００５６】
次に、S８は、印刷された印刷媒体２３を切り離す操作である。図１、図２のＣＵＴキー７ｈを押下する。この時、Ｐｒｉｎｔキー７ｇについている照光用ＬＥＤ３３ｆが消灯する。液晶ディスプレイ５に、
１：ＰＭ  ５：３１
２：ｈｔｔｐ：／／ｗｗｗ．ａｂｃｄｅ．ｃｏｍ
３：ＡＢＣＤＥ  Ｉｎｄｕｓｔｒｉｅｓ，ＬＴＤ
４：１−１−１，□□−ｔｙｏｕ，◇◇−ｓｈｉ，○○−ｋｅｎ
と入力内容が再表示される。そして、印刷された印刷媒体２３が切り離されると、ＣＵＴキー７ｈについている照光用ＬＥＤ３３ｇが消灯して全ての操作が終了し、印刷された印刷媒体２３が完成する。上述したように機能キー７の配列の順に照光用ＬＥＤ３３と液晶ディスプレイ５のガイダンスの指示に従って操作を行えば初心者でも、また、一旦、使用を中断してその後に操作しても簡単に印刷された印刷媒体２３を作成することができる。ここで、第１実施形態の機能キー７の押下に対する各照光用ＬＥＤ３３（ａ〜ｇ）の状態を示す表を図７に示す。
【００５７】
以上説明した通り、第１実施形態に係る印刷装置１では、入力手段としてデータを入力するキーボード３と、機能を働かせる複数の機能キー７とを備え、複数の機能キー７は、印刷された印刷媒体２３を作成する一連の操作の手順に従って配置されているので、操作がバラバラにならず操作性が向上するという効果がある。また、印刷される印刷媒体２３を作成する一連の操作の手順に従って配置されているので、機能キー７の操作の一連の流れが一目で分かり、操作の手順が明確になるという効果もある。
【００５８】
また、印刷装置１では、各機能キー７のうち最後に配置されたキーが印刷媒体２３を切断するＣｕｔキー７ｈであるので、最後の動作であるカット動作がおのずと分かり、処理が終わったことが理解されやすいという効果がある。
【００５９】
また、印刷装置１では、Ｃｕｔキー７ｈの手前に配置されたキーがサーマル印刷機構４を起動させるＰｒｉｎｔキー７ｇであるので、印刷後にカットという一連の流れと同様にキーを配置しており、一連の操作が理解しやすいという効果がある。また、次のキーまで最短距離でキー押下できるので、操作性が向上するという効果がある。
【００６０】
また、印刷装置１では、Ｐｒｉｎｔキー７ｇの手前に配置されたキーが、入力されたデータの印刷内容を液晶ディスプレイ５に表示させるＰｒｅｖｉｅｗキー７ｆであるので、プレビューの次に印刷という一連の流れと同様にキーを配置しており、一連の操作が理解しやすいという効果がある。また、次のキーまで最短距離でキー押下できるので、操作性が向上するという効果がある。
【００６１】
また、印刷装置１では、各機能キー７が操作された時、その各機能キー７のガイダンスが液晶ディスプレイ５に表示されるように構成したので、機能キー７の内容が把握でき、初心者が使用する時や、一旦、使用を中断してその後で使用する時でも迷わずに使用できるという効果がある。また、液晶ディスプレイ５の表示によって、次の操作が指示されるので操作性が向上するという効果もある。
【００６２】
また、印刷装置１では、サーマル印刷機構４によって印刷された印刷媒体２３の出口が、各機能キー７のうち最後に配置された機能キー７の近傍に設けられているので、印刷された印刷媒体２３が最後に配置された機能キー７の近傍から排出され、印刷された印刷媒体２３の出口が分かりやすく、一連の操作の流れが理解されやすいという効果がある。
【００６３】
また、印刷装置１では、各機能キー７のうち最初に配置されたキーが印刷装置１を起動するＰｏｗｅｒキー７ａであるので、一連の操作の流れの基点となる電源キーが、最初に配置されているので、一連の操作の流れが理解されやすいという効果がある。
【００６４】
また、印刷装置１では、複数の機能キー７の近傍に操作の方向を示すマーキング８が記載されているので、操作順が一目でわかるという効果がある。
【００６５】
また、印刷装置１では、各複数の機能キー７（ｂ〜ｈ）には、照光用ＬＥＤ３３（ａ〜ｇ）が備えられ、各機能キーが操作される順番に消灯又は点灯されるように構成したので、どの機能キー７の処理までが済んだかが分かり、無駄な操作を無くすことが出来るという効果がある。
【００６６】
更に、表示手段を持たない印刷装置をＰＣ（パーソナルコンピュータ）に接続して印刷媒体に印刷する第２実施形態を図面に基づき詳細に説明する。先ず、本実施形態に係る印刷装置の概略構成について図８、図９に基づき説明する。図８は、ＰＣと接続した第２実施形態の印刷装置の斜視図、図９は、ＰＣと接続した第２実施形態の印刷装置の制御系のブロック図である。
【００６７】
図８において、印刷装置１０１は、ＰＣ１００と接続されている。印刷装置１０１の本体フレーム１０２の前部にはキーボード１０３が配設され、キーボード１０３の後方で本体フレーム１０２内にはサーマル印刷機構１０４が配設され、更に、キーボード１０３の左側には機能キー配置部１０６が設けられている。
【００６８】
キーボード（入力手段に相当する）１０３には、アルファベット文字や数字や記号を入力する為の文字キー、スペースキー、改行キー、カーソル移動キー、実行キーや取消キーの編集キー、印字を指令する印刷キー、電源をＯＮ／ＯＦＦする為の電源キーが設けられている。これらは、氏名やファイルの背表紙の一般的な内容で印刷された印刷媒体２３を作成する時や、機能キー配置部１０６の機能キー１０７を操作している時に必要に応じてアルファベット文字や数字や記号を入力するために使用される。
【００６９】
また、機能キー配置部１０６には、前記実施形態と同様の複数の機能キー１０７（ａ〜ｈ）が一つの印刷された印刷媒体２３を作成する為に、一連の操作をバラバラにすることなく一つの流れでできるように配置されている。その為に、キーボード１０３に存在するのと同一の機能を持つキーが含まれる場合もある。（例えば印刷キー、電源キー）更に、複数の機能キー１０７の近傍には、操作手順を分かり易くする為に操作順序を示すマーキング１０８が印刷や刻印で表示されている。また、複数の機能キー１０７（ｂ〜ｈ）には、操作を重複して行ったり、操作を飛ばしたりする無駄な操作を無くす為に、操作の段階を示す照光用ＬＥＤ１３３（ａ〜ｇ）が取り付けられている。そして、サーマル印刷機構１０４によって印刷された印刷媒体２３が排出方向Ｔの方向に排出される印刷媒体出口１０９が、一連の機能キー配置部１０６の最後の機能キー１０７ｈの近傍に設けられているので、自然と目につく分かり易い配置になっている。
【００７０】
ここで、図８、図９と対をなす印刷媒体カセットを装着したサーマル印刷機構１０４（印刷手段に相当する）については、図３の印刷媒体カセットを装着したサーマル印刷機構４と同一であり、図３で詳細に説明されているのでここでは説明を省略する。
【００７１】
次に、印刷装置１０１の制御系について、図９に基づいて説明する。制御装置１４６の入出力インターフェース１４４には、ＰＣ１００と、キーボード１０３と、カセットセンサ１３０と、照光用ＬＥＤ１３３の為の駆動回路１３４と、サーマルヘッド１１９を駆動する為の駆動回路１３５と、テープ送りモータ１３６を駆動する為の駆動回路１３７とが、各々接続されている。
【００７２】
制御装置１４６は、ＣＰＵ１４０と、このＣＰＵ１４０にデータバスなどのバス１４５を介して接続された入出力インターフェース１４４、ＰＣ接続用基本プログラムＲＯＭ（ＰＣ接続用ＢＰＲＯＭ）１４１、印刷用キャラクタジェネレータＲＯＭ（印刷用ＣＧＲＯＭ）１４２，ＲＯＭ１４３及びＲＡＭ１５０とから構成されている。ＰＣ接続用ＢＰＲＯＭ１４１には、ＰＣと接続するのに必要なプログラムが格納されている。印刷用ＣＧＲＯＭ１４２には、アルファベット文字や記号などの多数のキャラクタの各々に関して、印刷用ドットパターンデータが、各書体毎にコードデータに対応させて、複数の印字文字サイズ分が格納されている。
【００７３】
ＲＯＭ１４３には、キーボード１０３から入力された文字や数字や記号のキャラクタのコードデータに対応させてＰＣ１００の外部ディスプレイ１０５を制御する制御プログラム、印字に供する１ドット列毎のドットパターンデータを順次サーマルヘッド１１９に転送してテープ送りモータ１３６を駆動させて印刷する印刷駆動プログラム、本願特有の後述の照光用ＬＥＤ制御、機能キーのガイダンスをＰＣ１００が表示する為のＰＣ制御プログラムが格納されている。また、前記ＲＡＭ１５０には、各機能キー１０７（ａ〜ｈ）に対応して追加、削減される情報を格納するメモリや、ＣＰＵ１４０で演算した演算結果を一時的に格納するメモリやバッファが設けられている。
ここで、機能キー１０７（ａ〜ｈ）の機能は、機能キー７（ａ〜ｈ）の機能と同等である。
【００７４】
続いて、前記のように構成されて稼動状態になったＰＣ１００と印刷装置１０１において、図5に示す印刷された印刷媒体２３を作成する為の操作の流れを図１０（操作する機能キーは図８を参照）に基づいて説明する。図5は、機能キーを使用して印刷された印刷媒体を示す図である。図１０は、第２実施形態の機能キーの操作の流れを説明する図である。
【００７５】
まず、ステップ（以下、Sと略記する）１０１は、電源をＯＮにする操作である。図８のＰｏｗｅｒキー１０７ａを押下する。この時、Ｐｏｗｅｒキー１０７ａを除く全ての機能キーについている照光用ＬＥＤ１３３（ａ〜ｇ）が全て点灯する。そして、外部ディスプレイ１０５に、
１：
と表示される。
【００７６】
次に、S１０２は、Ａｄｄｒｅｓｓキーを押して所望の住所を選択する操作である。図８のＡｄｄｒｅｓｓキー１０７ｂを押下する。この時、Ｐｏｗｅｒキー１０７ａを除く全ての機能キーについている照光用ＬＥＤ１３３（ａ〜ｇ）は全て点灯したままである。外部ディスプレイ１０５に、
Ａｄｄｒｅｓｓキーを押して住所を選択してね
とガイダンスが数秒間表示された後で、図１０のように、
ＡＤＤＲＥＳＳ１
１−１−１，□□−ｔｙｏｕ
と住所の一部が表示される。カーソル移動キーで画面をスクロールさせて隠れている内容を見ることができる。また、自動でスクロールさせてもよいし、外部ディスプレイ１０５の表示面積が広ければ表示内容全部を表示させても良い。この住所が所望の住所であれば次のステップに進めばよいが、この住所が所望の住所でなければ、もう１度Ａｄｄｒｅｓｓキー１０７ｂを押下し、所望の住所が出てくるまで操作を繰り返す。それでも所望の住所が無い場合は、キーボード１０３から所望の住所を入力する。ここでは、「１−１−１，□□−ｔｙｏｕ，◇◇−ｓｈｉ，○○−ｋｅｎ」が所望の住所である。
【００７７】
次に、S１０３は、Ｎａｍｅキーを押して所望の名前を選択する操作である。図８のＮａｍｅキー１０７ｃを押下する。この時、Ａｄｄｒｅｓｓキー１０７ｂについている照光用ＬＥＤ１３３ａが消灯する。外部ディスプレイ１０５に、
Ｎａｍｅキーを押して名前を選択してね
とガイダンスが数秒間表示された後で、
ＮＡＭＥ１
ＡＢＣＤＥ  Ｉｎｄｕｓｔｒｉｅｓ，ＬＴＤ
と表示される。この名前が所望の名前であれば次のステップに進めばよいが、この名前が所望の名前でなければ、もう１度Ｎａｍｅキー１０７ｃを押下し、所望の名前が出てくるまで操作を繰り返す。それでも所望の名前が無い場合は、キーボード１０３から所望の名前を入力する。ここでは、「ＡＢＣＤＥ  Ｉｎｄｕｓｔｒｉｅｓ，ＬＴＤ」が所望の名前である。
【００７８】
次に、S１０４は、Ｍａｉｌキーを押して所望のメールアドレスを選択する操作である。図８のＭａｉｌキー１０７ｄを押下する。この時、Ｎａｍｅキー１０７ｃについている照光用ＬＥＤ１３３ｂが消灯する。外部ディスプレイ１０５に、
Ｍａｉｌキーを押してメルアドを選択してね
とガイダンスが数秒間表示された後で、
ＭＡＩＬ  ＡＤＤＲＥＳＳ１
ｈｔｔｐ：／／ｗｗｗ．ａｂｃｄｅ．ｃｏｍ
と表示される。このメールアドレスが所望のメールアドレスであれば次のステップに進めばよいが、このメールアドレスが所望のメールアドレスでなければ、もう１度Ｍａｉｌキー１０７ｄを押下し、所望のメールアドレスが出てくるまで操作を繰り返す。それでも所望のメールアドレスが無い場合は、キーボード１０３から所望のメールアドレスを入力する。ここでは、「ｈｔｔｐ：／／ｗｗｗ．ａｂｃｄｅ．ｃｏｍ」が所望のメールアドレスである。
【００７９】
次に、S１０５は、Ｄａｔｅキーを押して所望の時刻を選択する操作である。図８のＤａｔｅキー１０７ｅを押下する。この時、Ｍａｉｌキー１０７ｄについている照光用ＬＥＤ１３３ｃが消灯する。外部ディスプレイ１０５に、
Ｄａｔｅキーを押して時刻を選択してね
とガイダンスが数秒間表示された後で、
ＴＩＭＥ１
ＰＭ  ５：３１
と表示される。この時刻が所望の時刻であれば次のステップに進めばよいが、この時刻が所望の時刻でなければ、もう１度Ｄａｔｅキー１０７ｅを押下し、所望の時刻が出てくるまで操作を繰り返す。それでも所望の時刻が出ない場合は、キーボード１０３から所望の時刻を入力する。ここでは、「ＰＭ  ５：３１」が所望の時刻である。
【００８０】
次に、S１０６は、Ｐｒｅｖｉｅｗキーを押して所望の内容になっているか印刷する前に確認する操作である。図８のＰｒｅｖｉｅｗキー１０７ｆを押下する。この時、Ｄａｔｅキー１０７ｅについている照光用ＬＥＤ１３３ｄが消灯する。外部ディスプレイ１０５に、
Ｐｒｅｖｉｅｗキーを押してプレビューで確認してね
とガイダンスが数秒間表示された後で、
ＰＭ  ５：３１
ｈｔｔｐ：／／ｗｗｗ．ａｂｃｄｅ．ｃｏｍ
ＡＢＣＤＥ  Ｉｎｄｕｓｔｒｉｅｓ，ＬＴＤ
１−１−１，□□−ｔｙｏｕ，◇◇−ｓｈｉ，○○−ｋｅｎ
と図５に示す表示形式で表示される。この内容が所望の内容であれば次のステップに進めばよいが、この内容が所望の内容でなければ、所望の内容でないステップに戻って内容を修正し、Ｐｒｅｖｉｅｗキー１０７ｆを押下して内容を最終確認してから次のステップに進む。ここでは、上記内容が所望の内容である。
【００８１】
次に、S１０７は、印刷媒体２３を完成させるためにS１０６で確認した内容を印刷媒体２３に印刷する操作である。図８のＰｒｉｎｔキー１０７ｇを押下する。この時、Ｐｒｅｖｉｅｗキー１０７ｆについている照光用ＬＥＤ１３３ｅが消灯する。外部ディスプレイ１０５に、
ＰＲＩＮＴＩＮＧ・・・・
と表示され、印刷された印刷媒体２３が、図８に示す排出方向Ｔに向かって排出される。
【００８２】
次に、S１０８は、印刷された印刷媒体２３を切り離す操作である。図８のＣＵＴキー１０７ｈを押下する。この時、Ｐｒｉｎｔキー１０７ｇについている照光用ＬＥＤ１３３ｆが消灯する。外部ディスプレイ１０５に
１：ＰＭ  ５：３１
２：ｈｔｔｐ：／／ｗｗｗ．ａｂｃｄｅ．ｃｏｍ
３：ＡＢＣＤＥ  Ｉｎｄｕｓｔｒｉｅｓ，ＬＴＤ
４：１−１−１，□□−ｔｙｏｕ，◇◇−ｓｈｉ，○○−ｋｅｎ
と入力内容が再表示される。そして、印刷された印刷媒体２３が切り離されると、ＣＵＴキー１０７ｈについている照光用ＬＥＤ１３３ｇが消灯して全ての操作が終了し、印刷された印刷媒体２３が完成する。上述したように機能キー１０７の配列の順に照光用ＬＥＤ１３３と外部ディスプレイ１０５のガイダンスの指示に従って操作を行えば初心者でも、また、一旦、中断してその後に操作しても簡単に印刷された印刷媒体２３を作成することができる。
【００８３】
以上説明した通り、第２実施形態に係る印刷装置１０１では、入力手段としてデータを入力するキーボード１０３と、機能を入力する複数の機能キー１０７とを備え、複数の機能キー１０７は、印刷された印刷媒体２３を作成する一連の操作の手順に従って配置されているので、操作がバラバラにならず操作性が向上するという効果がある。また、印刷される印刷媒体２３を作成する一連の操作の手順に従って配置されているので、機能キー１０７の操作の一連の流れが一目で分かり、操作の手順が明確になるという効果もある。また、第１実施形態と異なり、表示手段がないので、本体コストが安くなるという効果もある。更に、もし外部ディスプレイ１０５の表示面積が広ければ表示内容を一目で見ることができるという効果もある。
【００８４】
また、印刷装置１０１では、各機能キー１０７（ａ〜ｈ）のうち最後に配置されたキーが印刷媒体２３を切断するＣｕｔキー１０７ｈであるので、最後の動作であるカット動作がおのずと分かり、処理が終わったことが理解されやすいという効果がある。
【００８５】
また、印刷装置１０１では、Ｃｕｔキー１０７ｈの手前に配置されたキーがサーマル印刷機構４を起動させるＰｒｉｎｔキー１０７ｇであるので、印刷後にカットという一連の流れと同様にキーを配置しており、一連の操作が理解しやすいという効果がある。また、次のキーまで最短距離でキー押下できるので、操作性が向上するという効果がある。
【００８６】
更に、印刷媒体出口が印刷装置１の後の左端に配置された第３実施形態による印刷装置１について、図１１，図１２に基づいて説明する。図１１は、第３実施形態の印刷装置の斜視図、図１２は、第３実施形態の印刷装置の上面図である。ただし、各図面の符号は、第１実施形態と同一の機能のものは同一符号とした。更に、第３実施形態の動作は、第１実施形態と第２実施形態の動作とほぼ同等であり、第１実施形態でその詳細な動作を説明しているので、詳細な動作の説明は省略し、ポイントのみの説明とする。ポイントは、第１実施形態では、印刷媒体出口９が印刷装置１の後のほぼ中央に配置されているが、第３実施形態では印刷媒体出口９を印刷装置１の後の左端に配置していることである。この配置は小型化設計ができるという効果がある。
ここで、機能キー７ａは、キーボード３の右上に配置され、機能キー７（ｂ〜ｈ）は、キーボード３の左側に配置されている。
【００８７】
そして、印刷する一連の操作の手順に従って配置された機能キー７（ａ〜ｇ）で、最後に配置されたキーがサーマル印刷機構４を起動させるＰｒｉｎｔキー７ｇである第４実施形態の印刷装置１について説明する。第４実施形態の印刷装置１の動作は、第１実施形態、第２実施形態そして第３実施形態のＰｒｉｎｔキー７ｇ、１０７ｇまでの動作とほぼ同等であり、第１実施形態でその詳細な動作を説明しているので、詳細な動作の説明と図面は省略し、ポイントのみの説明とする。ポイントは、印刷する一連の操作の手順に従って配置された機能キー７（ａ〜ｇ）の最後に配置されたキーが、サーマル印刷機構４を起動させるＰｒｉｎｔキー７ｇであるということである。これによれば、最後に配置されたキーがサーマル印刷機構４を起動させるＰｒｉｎｔキー７ｇに設定されているので、最後の動作が印刷動作になり、機能キー７の最後にあるので、処理が終わったことが理解されやすいという効果がある。また、各機能キー７のうち、最後に配置されたキーがサーマル印刷機構４を起動させるＰｒｉｎｔキー７ｇに設定すれば、連続して印刷された印刷媒体２３を作成することができる効果もある。そして、印刷媒体２３のカットは、キーボード３の中のカットキーで行う。
ここで、機能キー７（ａ〜ｇ）（第１実施形態）（第３実施形態）の機能は、機能キー１０７（ａ〜ｇ）（第２実施形態）の機能と同等であり、ここでは第１実施形態の符号を使用して説明している。
【００８８】
尚、本発明は前記実施形態に限定されるものではなく、本発明の要旨を逸脱しない範囲内で種々の改良、変形が可能であることは勿論である。
【００８９】
例えば、図1、図2の実施形態において照光用ＬＥＤ３３は、機能キー７の中に納められていたがこれに限定されることなく、例えば、図１３に示すように機能キー７の近傍に照光用ＬＥＤ３３（ａ〜ｇ）を配置しても良い。その他の構成は、第３実施形態と同様である。
【００９０】
また、図1、図2の実施形態において一連の機能キー７の配列が1列であるが、これに限定されることなく、例えば、図１４に示すようにプレビューキーの前を複数列の機能キー７の配列にし、機能キー７によって作成される印刷される印刷内容の種類を多くすることもできる。機能キー７ｅのみの配列では、時刻だけの印刷媒体２３が得られ、機能キー７ｂ、７ｃの配列では、住所と名前を含む印刷媒体２３が得られるように構成しても良い。この構成によれば、印刷内容の種類が多くなっても、所望の印刷種類のマーキング８に沿って操作して行けば所望の印刷媒体２３を得ることができるという効果がある。また、カセットセンサ３０で読み取られた情報によりテープ種類が決まり、そのテープ幅により作成可能な配列の照光用ＬＥＤ３３が点灯するようにする。例えば、テープ幅が９ｍｍの時、機能キー７ｅのみの配列の照光用ＬＥＤ３３ｄが点灯し、テープ幅が１８ｍｍの時、機能キー７ｅのみの配列の照光用ＬＥＤ３３ｄと機能キー７ｂ、７ｃの配列の照光用ＬＥＤ３３ａ、３３ｂが点灯し、テープ幅が３６ｍｍの時、機能キー７ｅのみの配列の照光用ＬＥＤ３３ｄと機能キー７ｂ、７ｃの配列の照光用ＬＥＤ３３ａ、３３ｂと機能キー７ｂ、７ｃ、７ｄ、７ｅの配列の照光用ＬＥＤ３３ａ、３３ｂ、３３ｃ、３３ｄが点灯するように構成してもよい。この構成によれば、装着された印刷媒体カセット１０のテープ幅により作成可能な印刷内容の種類が一目で分かるという効果がある。
【図面の簡単な説明】
【００９１】
【図１】第１実施形態の印刷装置の斜視図である。
【図２】第１実施形態の印刷装置の上面図である。
【図３】第１実施形態の印刷媒体カセットを装着したサーマル印刷機構の概略平面図である。
【図４】第１実施形態の印刷装置の制御系のブロック図である。
【図５】印刷された印刷媒体の印刷例を説明する図である。
【図６】第１実施形態の機能キーの操作の流れを説明する図である。
【図７】第１実施形態の機能キーの押下に対する照光用ＬＥＤの状態を示す図である。
【図８】ＰＣと接続した第２実施形態の印刷装置の斜視図である。
【図９】ＰＣと接続した第２実施形態の印刷装置の制御系のブロック図である。
【図１０】第２実施形態の機能キーの操作の流れを説明する図である。
【図１１】第３実施形態の印刷装置の斜視図である。
【図１２】第３実施形態の印刷装置の上面図である。
【図１３】照光用ＬＥＤを外付けにした他の実施形態の印刷装置の上面図である。
【図１４】機能キーを複数列設けた更に他の実施形態の印刷装置の上面図である。
【符号の説明】
【００９２】
１．    印刷装置
２．    本体フレーム
３．    キーボード
４．    サーマル印刷機構
５．    液晶ディスプレイ
６．    機能キー配置部
７．    機能キー
８．    マーキング
９．    印刷媒体出口
１０．  印刷媒体カセット
・    印刷媒体
１００．ＰＣ
１０１．印刷装置
１０２．本体フレーム
１０３．キーボード
１０５．外部ディスプレイ
１０６．機能キー配置部
１０７．機能キー
１０８．マーキング
１０９．印刷媒体出口
Ｔ．    排出方向
【図１】
2007320034.tif 000003
【図２】
2007320034.tif 000004
【図３】
2007320034.tif 000005
【図４】
2007320034.tif 000006
【図５】
2007320034.tif 000007
【図６】
2007320034.tif 000008
【図７】
2007320034.tif 000009
【図８】
2007320034.tif 000010
【図９】
2007320034.tif 000011
【図１０】
2007320034.tif 000012
【図１１】
2007320034.tif 000013
【図１２】
2007320034.tif 000014
【図１３】
2007320034.tif 000015
【図１４】
2007320034.tif 000016